(57)【要約】【課題】  使い勝手を損なうことなく、ユーザの意思に沿って適切に機能制限を実行することが可能な電子機器を提供する。【解決手段】  蓄えた電力を供給するバッテリ１６と、バッテリ１６が供給する電力を消費して動作する少なくとも１つの負荷部１１〜１５，１８〜２０と、機能制限実行条件が充足されると少なくとも１つの負荷部１１〜１５，１８〜２０の機能を制限することで消費電力を低減する機能制限を実行する制御部２０と、自己の現在位置を示す現在位置情報を取得する測位部１２と、特定位置を示す登録位置情報を記録する記録部１８と、を備える。制御部２０は、現在位置情報が示す現在位置と登録位置情報が示す特定位置との距離が所定の大きさ以下であるとき、機能制限実行条件が充足されても機能制限を実行しないように構成されている。【選択図】  図１
2014236633.tif 000002
【特許請求の範囲】
【請求項１】
蓄えた電力を供給するバッテリと、
前記バッテリが供給する電力を消費して動作する少なくとも１つの負荷部と、
機能制限実行条件が充足されると、少なくとも１つの前記負荷部の機能を制限することで消費電力を低減する機能制限を実行する制御部と、
自己の現在位置を示す現在位置情報を取得する測位部と、
特定位置を示す登録位置情報を記録する記録部と、を備え、
前記制御部は、前記現在位置情報が示す前記現在位置と前記登録位置情報が示す前記特定位置との距離が所定の大きさ以下であるとき、前記機能制限実行条件が充足されても前記機能制限を実行しないように構成されていることを特徴とする電子機器。
【請求項２】
前記登録位置情報が示す前記特定位置は、ユーザが外部電源の電力を取得することが許可されている位置であることを特徴とする請求項１に記載の電子機器。
【請求項３】
前記外部電源から電力が供給されたことを検出する外部電源検出部を、さらに備え、
前記外部電源検出部が、前記外部電源から電力が供給されたことを検出したとき、前記測位部が取得する前記現在位置情報が、前記登録位置情報として前記記録部に記録されることを特徴とする請求項１または２に記載の電子機器。
【請求項４】
前記バッテリが蓄えている電力量である蓄電量を検出する蓄電量検出部を、さらに備え、
前記機能制限実行条件が、前記蓄電量検出部が検出する前記蓄電量が所定の大きさ以下になることであることを特徴とする請求項１〜３のいずれか１項に記載の電子機器。
【請求項５】
前記制御部は、
前記機能制限実行条件が充足されると、前記機能制限の１つとして、前記負荷部の１つである表示部の輝度を低減する輝度制限を実行し、
前記現在位置情報が示す前記現在位置と前記登録位置情報が示す前記特定位置との距離が所定の大きさ以下であるとき、前記機能制限実行条件が充足されても前記輝度制限を実行しないように構成されていることを特徴とする請求項１〜４のいずれか１項に記載の電子機器。
【発明の詳細な説明】
【技術分野】
【０００１】
本発明は、携帯電話機や携帯情報端末、携帯ゲーム機に代表される携帯端末などの、電力源の１つとしてバッテリを備えた電子機器に関する。
【背景技術】
【０００２】
近年、バッテリを搭載して使用場所を選ばない電子機器（例えば、携帯電話機、携帯情報端末、携帯ゲーム機などの携帯端末）が、広く普及している。
【０００３】
このような電子機器を使用するためには、バッテリが十分に充電されている必要がある。もし、バッテリが蓄えている電力量（以下、「蓄電量」とする）が少なくなれば、バッテリを充電したり、電子機器を動作させたりするために、商用電源等の外部電源の電力を取得することが必要になる。
【０００４】
しかしながら、物理的及び道義的に問題なく外部電源から電力を取得することができる場所は、自宅を除けば極端に限られている。そのため、このような電子機器は、バッテリの蓄電量が少なくなった時点で、使用不能になってしまう。
【０００５】
そこで、電子機器の一部の機能を制限して消費電力を低減することで、バッテリの蓄電量が少なくなることを遅らせて連続動作時間を長くする電子機器が、いくつか提案されている。
【０００６】
例えば、特許文献１では、バッテリの蓄電量の低下に応じて、通信機能や通話機能を制限することで、消費電力を低減する携帯電話機が提案されている。また、特許文献２では、バッテリの電力を消費して動作している場合は、外部電源の電力を消費して動作している場合と比較して、表示装置のバックライトの輝度を小さくして消費電力を低減する携帯型コンピュータが提案されている。
【先行技術文献】
【特許文献】
【０００７】
【特許文献１】特開平１０−２０９９５３号公報
【特許文献２】特開平７−１４１０７５公報
【発明の概要】
【発明が解決しようとする課題】
【０００８】
しかしながら、特許文献１及び２で提案されている電子機器は、バッテリの蓄電量が少なくなっていることや、バッテリの電力で動作していることのみをもって、電子機器の機能を制限する。すると、ユーザの意思に反して、電子機器の機能が無用に制限されることがあるため、問題となる。
【０００９】
例えば、ユーザが自宅で電子機器を使用する場合、仮にバッテリの蓄電量が少なくなったとしても、即座に自宅の商用電源の電力を取得することができる。この場合、ユーザは、電子機器の消費電力が低減されることよりも、むしろ、電子機器を快適に使用することができること（即ち、電子機器の機能が制限されないこと）を望んでいると考えられる。
【００１０】
また例えば、ユーザが仕事の得意先で電子機器を使用して商談等をする場合、当該電子機器の機能が十分に発揮されること（例えば、表示部の輝度が大きく、表示された画像が見やすいこと）が求められる。また、照明が過度に明るい場所では、表示部１３が表示する画像が視認可能であるために、表示部１３の輝度が大きいことが求められる。これらの場合、ユーザは、電子機器の消費電力が低減されることよりも、むしろ、電子機器の機能が十分に発揮されること（即ち、電子機器の機能が制限されないこと）を望んでいると考えられる。
【００１１】
なお、ユーザが、状況に応じて動作モード等を随時切り替えれば、ユーザ自身の意思に沿って電子機器の機能制限が行われるようにすることができる。しかし、この場合、ユーザが状況に応じて電子機器を頻繁に操作する必要があるため、電子機器の使い勝手が大きく損なわれる。
【００１２】
さらに、この場合、ユーザが電子機器の機能制限を無効にする操作をした後、有効にする操作をし忘れると、バッテリの蓄電量が少ない状態になり易くなる。一方、ユーザが電子機器の機能制限を有効にする操作をした後、無効にする操作をし忘れると、電子機器の機能が十分に発揮されない状態になり易くなる。
【００１３】
そこで、本発明は、使い勝手を損なうことなく、ユーザの意思に沿って適切に機能制限を実行することが可能な電子機器を提供することを目的とする。
【課題を解決するための手段】
【００１４】
上記目的を達成するため、本発明は、蓄えた電力を供給するバッテリと、前記バッテリが供給する電力を消費して動作する少なくとも１つの負荷部と、機能制限実行条件が充足されると、少なくとも１つの前記負荷部の機能を制限することで消費電力を低減する機能制限を実行する制御部と、自己の現在位置を示す現在位置情報を取得する測位部と、特定位置を示す登録位置情報を記録する記録部と、を備え、前記制御部は、前記現在位置情報が示す前記現在位置と前記登録位置情報が示す前記特定位置との距離が所定の大きさ以下であるとき、前記機能制限実行条件が充足されても前記機能制限を実行しないように構成されていることを特徴とする電子機器を提供する。
【００１５】
さらに、上記特徴の電子機器において、前記登録位置情報が示す前記特定位置は、ユーザが外部電源の電力を取得することが許可されている位置であると、好ましい。
【００１６】
さらに、上記特徴の電子機器において、前記外部電源から電力が供給されたことを検出する外部電源検出部を、さらに備え、前記外部電源検出部が、前記外部電源から電力が供給されたことを検出したとき、前記測位部が取得する前記現在位置情報が、前記登録位置情報として前記記録部に記録されると、好ましい。
【００１７】
さらに、上記特徴の電子機器において、前記バッテリが蓄えている電力量である蓄電量を検出する蓄電量検出部を、さらに備え、前記機能制限実行条件が、前記蓄電量検出部が検出する前記蓄電量が所定の大きさ以下になることであると、好ましい。
【００１８】
さらに、上記特徴の電子機器において、前記制御部は、前記機能制限実行条件が充足されると、前記機能制限の１つとして、前記負荷部の１つである表示部の輝度を低減する輝度制限を実行し、前記現在位置情報が示す前記現在位置と前記登録位置情報が示す前記特定位置との距離が所定の大きさ以下であるとき、前記機能制限実行条件が充足されても前記輝度制限を実行しないように構成されていると、好ましい。
【００１９】
さらに、上記特徴の電子機器において、前記制御部は、前記負荷部の１つであるとともに、前記機能制限実行条件が充足されると、前記機能制限の１つとして、前記制御部の動作クロックを低減する動作クロック制限を実行し、前記現在位置情報が示す前記現在位置と前記登録位置情報が示す前記特定位置との距離が所定の大きさ以下であるとき、前記機能制限実行条件が充足されても前記動作クロック制限を実行しないように構成されていると、好ましい。
【００２０】
さらに、上記特徴の電子機器において、前記制御部は、前記負荷部による所定の動作が実行されない状態が、所定の長さの時間である待機時間以上継続する場合、少なくとも１つの前記負荷部の動作が停止するスリープモードに移行するとともに、前記機能制限実行条件が充足されると、前記機能制限の１つとして、前記待機時間を短縮化する待機時間制限を実行し、前記現在位置情報が示す前記現在位置と前記登録位置情報が示す前記特定位置との距離が所定の大きさ以下であるとき、前記機能制限実行条件が充足されても前記待機時間制限を実行しないように構成されていると、好ましい。
【００２１】
さらに、上記特徴の電子機器において、ユーザの指示が入力される操作部を、さらに備え、前記操作部を介して前記ユーザから所定の指示が入力されると、前記測位部が取得する前記現在位置情報が、前記登録位置情報として前記記録部に記録されると、好ましい。
【００２２】
さらに、上記特徴の電子機器において、通信回線を介して情報の授受を行う通信部を、さらに備え、前記通信部は、前記通信回線を介して前記特定位置を示す位置情報を取得し、当該位置情報を前記記録部が前記登録位置情報として記録すると、好ましい。
【００２３】
さらに、上記特徴の電子機器において、前記外部電源から電力が供給されていることを検出する外部電源検出部を、さらに備え、前記機能制限実行条件が、前記外部電源検出部が前記外部電源から電力が供給されていることを検出しないことであると、好ましい。
【発明の効果】
【００２４】
上記特徴の電子機器によれば、ユーザによる手動の操作を要することなく、特定位置に近いか否かに応じて、機能制限の実行の可否を切り替えることができる。そのため、使い勝手を損なうことなく、ユーザの意思に沿って適切に機能制限を実行することが可能になる。
【図面の簡単な説明】
【００２５】
【図１】本発明の実施形態に係る電子機器の構成例について示すブロック図。
【図２】図１に示した電子機器の概略動作例について説明するための模式図。
【図３】図１に示した電子機器における、登録位置情報の作成及び記録動作の具体例について示すフローチャート。
【図４】図１に示した電子機器における、全体的な動作の具体例について示すフローチャート。
【発明を実施するための形態】
【００２６】
最初に、本発明の実施形態に係る電子機器の構成例について、図面を参照して説明する。図１は、本発明の実施形態に係る電子機器の構成例について示すブロック図である。なお、図１中に示す矢印は、情報のやり取りについて示すものである。
【００２７】
図１に示すように、本発明の実施形態に係る電子機器１は、操作部１１と、測位部１２と、表示部１３と、スピーカ１４と、通信部１５と、バッテリ１６と、蓄電量検出部１６１と、外部電源接続部１７と、外部電源検出部１７１と、記録部１８と、メモリ１９と、制御部２０と、バス２１と、を備える。
【００２８】
操作部１１は、例えば押ボタンやタッチパネル等から成り、ユーザによって操作されることで電子機器１に対するユーザの指示を受け付ける。
【００２９】
測位部１２は、例えばＧＰＳ（Global Positioning System）の受信機等から成り、ＧＰＳ衛星から与えられる情報に基づいて自己の現在位置を測位することで、当該現在位置を示す情報である現在位置情報を取得する。なお、測位部１２は、どのような方法で測位を行なってもよい。例えば、測位部１２が、ＧＰＳを利用した測位に代えて（または加えて）、例えば無線ＬＡＮ（Local Area Network）のアクセスポイントとの通信に基づく測位を行なってもよい。
【００３０】
表示部１３は、例えば液晶ディスプレイ等の表示装置から成り、与えられる画像情報を処理して、当該画像情報に対応した画像を表示する。スピーカ１４は、与えられる音声情報を処理して、当該音声情報に対応した音声を出力する。
【００３１】
通信部１５は、例えばインターネット等の通信回線網に対して、無線または有線の通信回線を介して接続する送受信機等から成り、当該通信回線を介して情報の授受を行う。
【００３２】
バッテリ１６は、外部電源から供給される電力を蓄え（充電）、電力を消費して動作する電子機器１の各部（例えば、操作部１１、測位部１２、表示部１３、スピーカ１４、通信部１５、記録部１８、メモリ１９、制御部２０など、以下、これらをまとめて「負荷部」ともいう）に対して蓄えた電力を供給する（放電）。また、蓄電量検出部１６１は、バッテリ１６が蓄えている電力量（蓄電量）を検出する。
【００３３】
外部電源接続部１７は、例えば所定の規格のコネクタから成り、ケーブル等を介して接続された商用電源等の外部電源から電力を取得する。なお、外部電源接続部１７を介して外部電源から電子機器１に供給される電力は、バッテリ１６の充電や、電子機器１の負荷部の動作によって消費される。また、外部電源検出部１７１は、外部電源接続部１７に接続された外部電源から電力が供給されていることを検出する。
【００３４】
記録部１８は、例えばハードディスクやフラッシュメモリ等の不揮発性メモリから成り、電子機器１の動作に必要な各種データを記録している。また、記録部１８は、特定位置（詳細は後述）を示す情報である「登録位置情報」を記録している。また、メモリ１９は、例えばＲＡＭ（Random Access Memory）等の揮発性メモリから成り、例えば制御部２０における演算処理の結果等を一時的に記憶する。
【００３５】
制御部２０は、例えばＣＰＵ（Central Processing Unit）等の演算装置から成り、電子機器１の全体的な動作の制御を行う。また、バス２１は、電子機器１が備える各部（例えば、操作部１１、測位部１２、表示部１３、スピーカ１４、通信部１５、蓄電量検出部１６１、外部電源検出部１７１、記録部１８、メモリ１９、制御部２０など）を接続し、それぞれによる情報のやり取りを仲介する。
【００３６】
図１に示した電子機器１において、制御部２０は、機能制限実行条件が充足されたことを検出すると、少なくとも１つの負荷部の機能を制限することで消費電力を低減する機能制限を実行する。
【００３７】
機能制限実行条件とは、電子機器１の消費電力を少なくすることが必要であると判断するための条件である。機能制限実行条件として、例えば、蓄電量検出部１６１が検出するバッテリ１６の蓄電量が所定の大きさ以下になったこと、ユーザが操作部１１を介して消費電力を低減するべき旨の指示を入力したこと、外部電源検出部１７１が外部電源から電力が供給されていることを検出しない（即ち、負荷部がバッテリ１６の電力のみを消費して動作している）こと、などが採用可能である。
【００３８】
機能制限実行条件は、１つの条件（例えば、上記例のいずれか１つの条件）または複数の条件（例えば、上記例の２つ以上の条件）を組み合わせたものから成る。後者の場合、いずれか１つの条件が充足されることで機能制限実行条件が充足されるとしてもよいし、２以上の所定数の条件が充足されることで機能制限実行条件が充足されるとしてもよい。また、ある条件については１つでも充足されれば機能制限実行条件が充足されるが、他の条件については２以上の所定数の条件が充足されることで機能制限実行条件が充足されるとするように、機能制限実行条件を構成する各条件に差を設けてもよい。
【００３９】
制御部２０は、例えば蓄電量検出部１６１や外部電源検出部１７１、操作部１１などから、バス２１を介して入力される情報を取得することによって、上述した機能制限実行条件が充足されたか否かを確認する。
【００４０】
また、機能制限とは、制御部２０によって実行される、少なくとも１つの負荷部の機能を制限することで消費電力を低減する制御である。機能制限として、例えば、表示部１３の輝度（自己発光する画素の輝度、バックライト等の光源の輝度など）を低減する、制御部２０の動作クロックを低減する、スリープモード（例えば、表示部１３が表示を停止するなど、少なくとも１つの負荷部が動作を停止している状態）に移行するまでの時間（後述する待機時間、図４参照）を低減する、などである。
【００４１】
上記の機能制限の各例における「低減する」とは、例えば、機能制限後に設定されるパラメータ（例えば、表示部１３における輝度値）を機能制限前よりも小さくすることや、機能制限後におけるパラメータの最大値（例えば、自動または手動で設定可能なパラメータの上限値）を機能制限前よりも小さくすることである。なお、機能制限として、上記例の複数の制限を組み合わせて実行してもよいし、いずれか１つの制限を選択的に実行してもよい。また、制御部２０が、上記例のように特定の機能を低減させるだけに留まらず、特定の機能を停止させる（特定の機能を使用不可能にする）ことをもって、機能制限の実行としてもよい。
【００４２】
ところで、図１に示した電子機器１では、制御部２０が、機能制限実行条件が充足されたことを検出しても、機能制限を実行しない場合がある。この場合における電子機器１の動作について、以下図面を参照して説明する。図２は、図１に示した電子機器の概略動作例について説明するための模式図である。
【００４３】
図２に示す例では、ユーザの自宅Ｒ１及びユーザの職場Ｒ２のそれぞれの位置が、上述した特定位置となっている。そのため、これらの位置を示す登録位置情報が、記録部１８に記録されている。また、図２では、特定位置である自宅Ｒ１の位置から所定の距離以内となる範囲を非制限範囲Ａ１、特定位置である職場Ｒ２の位置から所定の距離以内となる範囲を非制限範囲Ａ２として示している。
【００４４】
特定位置とは、制御部２０が上述した機能制限を実行することが、不要または不適切である位置である。具体的に、自宅Ｒ１では、バッテリ１６の蓄電量が少なくなっても、ユーザが即座に自宅Ｒ１の商用電源（外部電源）の電力を取得することが可能である。そのため、自宅Ｒ１は、ユーザが、電子機器１の消費電力を低減することよりも、むしろ、電子機器１を快適に使用することができること（即ち、機能制限が実行されないこと）を望んでいる位置と言える。したがって、自宅Ｒ１は、制御部２０が機能制限を実行することが不要または不適切である位置（即ち、特定位置）であると言える。
【００４５】
また、本例の職場Ｒ２では、職場Ｒ２の商用電源（外部電源）の電力を、ユーザが自由に取得することが許可されているものとする。この場合、職場Ｒ２も、自宅Ｒ１と同様の理由で、制御部２０が機能制限を実行することが不要または不適切となる位置（即ち、特定位置）であると言える。
【００４６】
制御部２０は、測位部１２が取得する現在位置情報と、記録部１８に記録されている登録位置情報と、に基づいて、現在位置と特定位置Ｒ１，Ｒ２との距離を求める。
【００４７】
そして、現在位置と特定位置Ｒ１，Ｒ２との距離が所定の大きさよりも大きい場合、即ち、図２（ｂ）に示すように、非制限範囲Ａ１，Ａ２の全ての範囲外に電子機器１が位置する場合、制御部２０は、機能制限実行条件が充足されたことを検出すると、上述のように機能制限を実行する。
【００４８】
一方、現在位置と特定位置Ｒ１，Ｒ２との距離が所定の大きさ以下である場合、即ち、図２（ａ）及び（ｃ）に示すように、非制限範囲Ａ１，Ａ２のいずれかの範囲内に電子機器１が位置する場合、制御部２０は、機能制限実行条件が充足されたことを検出したとしても、機能制限を実行しない。
【００４９】
以上のように、電子機器１では、ユーザによる手動の操作を要することなく、特定位置に近いか否かに応じて、機能制限の実行の可否を切り替えることができる。そのため、使い勝手を損なうことなく、ユーザの意思に沿って適切に機能制限を実行することが可能になる。
【００５０】
なお、制御部２０が、機能制限実行条件が充足されたことを検出したにもかかわらず機能制限を実行しない場合、表示部１３やスピーカ１４等を制御して、ユーザに対してその旨を報知すると好ましい。例えば、制御部２０が、表示部１３を制御してバッテリ１６の蓄電量が少なくなった旨を表示することで、ユーザに対して外部電源の電力の取得を促すと、好ましい。
【００５１】
また、図２では、自宅Ｒ１に対する非制限範囲Ａ１と、職場Ｒ２に対する非制限範囲Ａ２と、を同程度の大きさで示しているが、特定位置の性質や規模等に応じて、非制限範囲の大きさ（即ち、機能制限を実行の可否を決するための現在位置と特定位置との距離の閾値）を異ならせてもよい。
【００５２】
また、電子機器１が非制限範囲内に入った場合、制御部２０が、直ちに機能制限の実行を否定してもよいし、非制限範囲内に所定の時間以上留まっていること（即ち、電子機器１が特定位置に存在する可能性が高いこと）を検出した後で、機能制限の実行を否定してもよい。
【００５３】
また、制御部２０が、測位部１２が随時取得する現在位置情報と、記録部１８が記録しいている登録位置情報と、を随時比較することによって、電子機器１が特定位置に向かって進んでいるのか離れているのかを区別してもよい。この場合、制御部２０が、非制限範囲内で電子機器１が特定位置に向かって進んでいることを検出したときは、機能制限の実行を否定し、非制限範囲内であっても電子機器１が特定位置から遠ざかっていることを検出したときは、機能制限の実行を肯定してもよい。
【００５４】
また、特定位置は、自宅Ｒ１や職場Ｒ２のような、ユーザが外部電源の電力を取得することが許可されている位置（具体的には、当該位置に存在する施設の管理権者がユーザ自身であるかユーザに対して外部電力の取得を認めていることによって、ユーザが当該施設の電力を取得しても電気窃盗等の問題が生じない位置）に限られるものではなく、これ以外の種類の位置であってもよい。例えば、ユーザが電子機器を使用して商談等をする得意先や、照明が過度に明るい場所（即ち、表示部１３が表示する画像を視認可能にするためには、表示部１３の輝度を大きくする必要がある場所）などの位置も、特定位置になり得る。
【００５５】
次に、電子機器１（特に、制御部２０）の具体的な動作例について、図面を参照して説明する。図３は、図１に示した電子機器における、登録位置情報の作成及び記録動作の具体例について示すフローチャートである。また、図４は、図１に示した電子機器における、全体的な動作の具体例について示すフローチャートである。なお、図３に示す動作は、電子機器１の動作中に、繰り返し実行されるものである。
【００５６】
まず、図３を参照して、登録位置情報の作成及び記録動作の具体例について説明する。図３に示すように、本例の動作では、まず、制御部２０が、登録条件が充足されているか否かを確認する（ステップ＃１１）。
【００５７】
登録条件とは、電子機器１の現在位置を特定位置として記録するための条件である。登録条件として、例えば、操作部１１を介してユーザが現在位置を特定位置として記録する旨の指示を入力したこと、外部電源検出部１７１が外部電源接続部１７を介して外部電源から電力が供給されたことを検出したこと、などが採用可能である。
【００５８】
制御部２０は、登録条件が充足されていないことを検出すると（ステップ＃１１、ＮＯ）、そのまま動作を終了する。一方、制御部２０は、登録条件が充足されていることを検出すると（ステップ＃１１、ＹＥＳ）、測位部１２を制御して現在位置情報を取得させる（ステップ＃１２）。そして、制御部２０は、測位部１２が取得する現在位置情報を、登録位置情報として記録部１８に記録させて（ステップ＃１３）、動作を終了する。
【００５９】
なお、図３に示した登録位置情報の作成及び記録動作は一例に過ぎず、他の方法で登録位置情報を作成及び記録してもよい。
【００６０】
例えば、通信部１５が、インターネット等を介して外部電源の利用を開放している店舗等の位置情報を取得するとともに、記録部１８が当該位置情報を登録位置情報として記録してもよい。また、制御部２０が、ユーザが操作部１１を操作することで電子機器１に入力する具体的な位置（例えば、表示部１３が表示する地図情報に対して、ユーザが操作部１１を介して指示する位置）を特定位置とする登録位置情報を作成して、記録部１８に記録させてもよい。
【００６１】
また、図４を参照して、電子機器１の全体的な動作の具体例について説明する。図４に示すように、本例の動作では、まず、制御部２０が、機能制限の実行が禁止されている（例えば、機能制限の実行を禁止する動作モードで動作している）か否かを確認する（ステップ＃２１）。
【００６２】
機能制限の実行が禁止されている場合（ステップ＃２１、ＹＥＳ）、制御部２０は、機能制限を実行しない（ステップ＃２２）。具体的に、制御部２０は、これまでに機能制限を実行していなければ、そのまま機能制限を実行しない状態を維持し、これまでに機能制限を実行していれば、機能制限の実行を停止する。
【００６３】
そして、制御部２０は、負荷部が所定の動作を実行しない状態（例えば、ユーザが操作部１１を介して入力する指示を制御部２０が検出しない、表示部１３が表示する画像を切り替えない、スピーカ１４が音声を出力しない、などの状態であり、換言すると、ユーザからの指示が何も入力されず、動画再生や音楽再生等の動作も行われていない状態）が、所定の長さの時間である待機時間以上継続しているか否かを確認する（ステップ＃２３）。
【００６４】
負荷部が所定の動作を実行しない状態が待機時間以上継続している場合（ステップ＃２３、ＹＥＳ）、制御部２０は、スリープモードに移行して（ステップ＃２４）、動作を終了する。なお、この後、操作部１１を介してユーザから指示が入力されるなどの動作があれば、スリープモードを解除（通常の動作モードに復帰）して、ステップ＃２１の動作を再度行う。
【００６５】
一方、負荷部が所定の動作を実行しない状態が待機時間よりも短い場合（ステップ＃２３、ＮＯ）、制御部２０は、ステップ＃２１の動作を再度行う。
【００６６】
また、機能制限の実行が禁止されていない場合（ステップ＃２１、ＮＯ）、制御部２０は、機能制限実行条件が充足されているか否かを確認する（ステップ＃２５）。
【００６７】
機能制限実行条件が充足されていない場合（ステップ＃２５、ＮＯ）、制御部２０は、上述のステップ＃２２及びそれ以降のステップを行う。
【００６８】
一方、機能制限実行条件が充足されている場合（ステップ＃２５、ＹＥＳ）、制御部２０は、測位部１２が取得する現在位置情報と、記録部１８に記録されている登録位置情報と、をそれぞれ取得する（ステップ＃２６）。そして、これらの情報に基づいて、現在位置が特定位置に近い（両者の距離が所定の大きさ以下である、図２参照）か否かを確認する（ステップ＃２７）。
【００６９】
現在位置が特定位置に近い場合（ステップ＃２７、ＹＥＳ）、制御部２０は、上述のステップ＃２２及びそれ以降のステップを行う。即ち、この場合、制御部２０は、機能制限実行条件が充足されているにもかかわらず、機能制限を実行しないことになる。
【００７０】
一方、現在位置が特定位置から遠い場合（ステップ＃２７、ＮＯ）、制御部２０は、機能制限を実行する（ステップ＃２８）。具体的に、制御部２０は、これまでに機能制限を実行していれば、そのまま機能制限を実行する状態を維持し、これまでに機能制限を実行していなければ、機能制限の実行を開始する。そして、上述のステップ＃２３及びそれ以降のステップを行う。
【００７１】
＜変形等＞
［１］  電子機器１が、外部電源の電力を消費して動作しているときは、バッテリ１６の蓄電量が少なくなることを懸念する必要がない。そのため、この場合は、制御部２０が、機能制限を実行しないようにすると、好ましい。
【００７２】
［２］  制御部２０が、機能制限実行条件が充足される場合に機能制限を実行するものとしたが、常時または所定の場合（例えば、ユーザが機能制限を実行する旨の動作モードで動作するように指示している場合）において、この機能制限実行条件が無条件であってもよい。この場合、制御部２０は、現在位置が特定位置に近い場合を除いて、常に機能制限を実行することになる。
【００７３】
［３］  また、上述した電子機器１が、通話機能の他にカメラ機能やテレビ機能等の様々な機能を有する携帯電話機である場合の具体例について説明する。
【００７４】
この携帯電話機では、バッテリの蓄電量が所定の大きさ以下になると、重要度が高い通話機能については引き続き使用可能とするが、重要度が低いカメラ機能やテレビ機能等の他の機能については使用不能とする機能制限を実行する。これにより、この携帯電話機は、消費電力を低減して連続動作時間を長くすることを可能にする。
【００７５】
ただし、この携帯電話機では、バッテリの蓄電量が所定の大きさ以下であっても、現在位置が自宅や職場等の特定位置に近ければ、上記の機能制限は実行しない（図２参照）。そして、この場合、携帯電話機の表示部にバッテリの蓄電量が少なくなった旨を表示することによって、ユーザに対して商用電源の電力を取得することを促す。
【００７６】
この携帯電話機は、ユーザの操作によって特定位置を記録する。例えば、表示部が表示する地図情報に対して、ユーザがタッチパネルや操作キー等を用いて指示する位置を、特定位置として記録する。また、ユーザの指示が入力された時において、ＧＰＳ等を利用して取得した携帯電話機の現在位置を、特定位置として記録する。
【００７７】
また、この携帯電話機は、自動的に特定位置を記録することも可能である。例えば、この携帯電話機は、商用電源の電力を取得した時において、ＧＰＳ等を利用して取得した携帯電話機の現在位置を、特定位置として自動的に記録する。
【００７８】
［４］  また、上述した電子機器１が、通信回線を利用して複数人でプレイすることが可能な携帯ゲーム機である場合の具体例について説明する。
【００７９】
この携帯ゲーム機では、バッテリの蓄電量が所定の大きさ以下になると、表示部の輝度を低減する機能制限を実行することで、消費電力を低減して連続動作時間を長くする。
【００８０】
ただし、この携帯ゲーム機では、バッテリの蓄電量が所定の大きさ以下であっても、現在位置が自宅等の特定位置に近ければ、上記の機能制限は実行しない（図２参照）。そして、この場合、携帯ゲーム機の表示部にバッテリの蓄電量が少なくなった旨を表示することによって、ユーザに対して商用電源の電力を取得することを促す。なお、このような携帯ゲーム機は、ユーザの自宅の他にも、友人宅や、携帯ゲーム機やソフトの販売会社が遊び場所として開放している店舗など、様々な場所で使用される可能性があるが、これらの場所では、ユーザが商用電源の電力を取得することが、通常は許可されている。
【００８１】
この携帯ゲーム機は、ユーザの操作によって特定位置を記録する。例えば、表示部が表示する地図情報に対して、ユーザがタッチパネルや操作キー等を用いて指示する位置を、特定位置として記録する。また、ユーザの指示が入力された時において、ＧＰＳ等を利用して取得した携帯ゲーム機の現在位置を、特定位置として記録する。また、携帯ゲーム機やソフトの販売会社が、インターネット等を通じて上述した店舗等の位置情報を公開している場合、この携帯ゲーム機は、通信部を介して当該店舗等の位置情報を取得して、特定位置として記録する。
【００８２】
また、この携帯ゲーム機は、自動的に特定位置を記録することも可能である。例えば、この携帯ゲーム機は、商用電源の電力を取得した時において、ＧＰＳ等を利用して取得した携帯ゲーム機の現在位置を、特定位置として自動的に記録する。
【００８３】
［５］  また、上述した電子機器１が、ノートパソコンやスマートフォン等の携帯情報端末である場合の具体例について説明する。
【００８４】
この携帯情報端末では、商用電源から電力が供給されていない（即ち、バッテリの電力のみで動作している）場合、表示部の輝度を低減したりＣＰＵの動作クロックを低減したりする省電力モードで動作するという機能制限を実行することで、消費電力を低減して連続動作時間を長くする。
【００８５】
ただし、この携帯情報端末では、商用電源から電力が供給されていない場合であっても、現在位置が自宅や職場等の特定位置に近ければ、上記の機能制限は実行しない（図２参照）。そして、この場合、バッテリの蓄電量が所定の大きさ以下になれば、携帯情報端末の表示部にバッテリの蓄電量が少なくなった旨を表示することによって、ユーザに対して商用電源の電力を取得することを促す。
【００８６】
この携帯情報端末は、ユーザの操作によって特定位置を記録する。例えば、表示部が表示する地図情報に対して、ユーザがタッチパネルやマウス等を用いて指示する位置を、特定位置として記録する。また、ユーザの指示が入力された時において、ＧＰＳ等を利用して取得した携帯ゲーム機の現在位置を、特定位置として記録する。また、この携帯情報端末の販売会社が、店舗等で商用電源をユーザに対して開放しており、さらにインターネット等を通じて当該店舗等の位置情報を公開している場合、この携帯情報端末は、通信部を介して当該店舗等の位置情報を取得して、特定位置として記録する。
【００８７】
また、この携帯情報端末は、自動的に特定位置を記録することも可能である。例えば、この携帯情報端末は、商用電源の電力を取得した時において、ＧＰＳ等を利用して取得した携帯情報端末の現在位置を、特定位置として自動的に記録する。
【００８８】
＜まとめ＞
本発明の実施形態に係る電子機器１は、例えば以下のように把握され得る。
【００８９】
本発明の実施形態に係る電子機器１は、蓄えた電力を供給するバッテリ１６と、前記バッテリ１６が供給する電力を消費して動作する少なくとも１つの負荷部１１〜１５，１８〜２０と、機能制限実行条件が充足されると、少なくとも１つの前記負荷部１１〜１５，１８〜２０の機能を制限することで消費電力を低減する機能制限を実行する制御部２０と、自己の現在位置を示す現在位置情報を取得する測位部１２と、特定位置を示す登録位置情報を記録する記録部１８と、を備え、前記制御部２０は、前記現在位置情報が示す前記現在位置と前記登録位置情報が示す前記特定位置との距離が所定の大きさ以下であるとき、前記機能制限実行条件が充足されても前記機能制限を実行しないように構成されていることを特徴とする。
【００９０】
この電子機器１では、ユーザによる手動の操作を要することなく、特定位置に近いか否かに応じて、機能制限の実行の可否を切り替えることができる。そのため、使い勝手を損なうことなく、ユーザの意思に沿って適切に機能制限を実行することが可能になる。
【００９１】
さらに、上記の電子機器１において、前記登録位置情報が示す前記特定位置は、ユーザが外部電源の電力を取得することが許可されている位置である。
【００９２】
この電子機器１では、ユーザが外部電源の電力を自由に取得することが可能であるために消費電力を低減する必要がない特定位置において、制御部２０が機能制限を実行しないようにすることが可能になる。
【００９３】
さらに、上記の電子機器１において、前記外部電源から電力が供給されたことを検出する外部電源検出部１７１を、さらに備え、前記外部電源検出部１７１が、前記外部電源から電力が供給されたことを検出したとき、前記測位部１２が取得する前記現在位置情報が、前記登録位置情報として前記記録部１８に記録される。
【００９４】
この電子機器１では、外部電源の電力を電子機器１に供給するだけで、特定位置を示す登録位置情報を、自動的に記録部１８に記録することが可能になる。
【００９５】
さらに、上記の電子機器１において、前記バッテリ１６が蓄えている電力量である蓄電量を検出する蓄電量検出部１６１を、さらに備え、前記機能制限実行条件が、前記蓄電量検出部１６１が検出する前記蓄電量が所定の大きさ以下になることである。
【００９６】
この電子機器１では、バッテリ１６の蓄電量が一定量より少なくなることで、消費電力を低減する必要が生じたときに、機能制限を実行して消費電力を低減することが可能になる。
【００９７】
さらに、上記の電子機器１において、前記制御部２０は、前記機能制限実行条件が充足されると、前記機能制限の１つとして、前記負荷部１１〜１５，１８〜２０の１つである表示部１３の輝度を低減する輝度制限を実行し、前記現在位置情報が示す前記現在位置と前記登録位置情報が示す前記特定位置との距離が所定の大きさ以下であるとき、前記機能制限実行条件が充足されても前記輝度制限を実行しないように構成されている。
【００９８】
また、上記の電子機器１において、前記制御部２０は、前記負荷部１１〜１５，１８〜２０の１つであるとともに、前記機能制限実行条件が充足されると、前記機能制限の１つとして、前記制御部２０の動作クロックを低減する動作クロック制限を実行し、前記現在位置情報が示す前記現在位置と前記登録位置情報が示す前記特定位置との距離が所定の大きさ以下であるとき、前記機能制限実行条件が充足されても前記動作クロック制限を実行しないように構成されている。
【００９９】
また、上記の電子機器１において、前記制御部２０は、前記負荷部１１〜１５，１８〜２０による所定の動作が実行されない状態が、所定の長さの時間である待機時間以上継続する場合、少なくとも１つの前記負荷部１１〜１５，１８〜２０の動作が停止するスリープモードに移行するとともに、前記機能制限実行条件が充足されると、前記機能制限の１つとして、前記待機時間を短縮化する待機時間制限を実行し、前記現在位置情報が示す前記現在位置と前記登録位置情報が示す前記特定位置との距離が所定の大きさ以下であるとき、前記機能制限実行条件が充足されても前記待機時間制限を実行しないように構成されている。
【０１００】
これらの電子機器１では、機能制限を行うことで効果的に消費電力を低減するとともに、状況に応じて機能制限を実行しないようにすることで電子機器１の機能を十分に発揮させることが可能になる。
【０１０１】
さらに、上記の電子機器１において、ユーザの指示が入力される操作部１１を、さらに備え、前記操作部１１を介して前記ユーザから所定の指示が入力されると、前記測位部１２が取得する前記現在位置情報が、前記登録位置情報として前記記録部１８に記録される。
【０１０２】
この電子機器１では、操作部１１を介してユーザが所定の指示を入力するだけで、特定位置を示す登録位置情報を、自動的に記録部１８に記録することができる。
【０１０３】
さらに、上記の電子機器１において、通信回線を介して情報の授受を行う通信部１５を、さらに備え、前記通信部１５は、前記通信回線を介して前記特定位置を示す位置情報を取得し、当該位置情報を前記記録部１８が前記登録位置情報として記録する。
【０１０４】
この電子機器１では、多数の登録位置情報を記録部１８に記録することができる。
【０１０５】
さらに、上記の電子機器１において、前記外部電源から電力が供給されていることを検出する外部電源検出部を、さらに備え、前記機能制限実行条件が、前記外部電源検出部が前記外部電源から電力が供給されていることを検出しないことである。
【０１０６】
この電子機器１では、外部電源から電力が供給されて消費電力を低減する必要がない場合に、制御部２０が機能制限を実行しないようにすることが可能になる。
【産業上の利用可能性】
【０１０７】
本発明は、携帯電話機や携帯情報端末、携帯ゲーム機に代表される携帯端末などの、電力源の１つとしてバッテリを備えた電子機器に、好適に利用され得る。
【符号の説明】
【０１０８】
１        ：  電子機器
１１      ：  操作部
１２      ：  測位部
１３      ：  表示部
１４      ：  スピーカ
１５      ：  通信部
１６      ：  バッテリ
１６１    ：  蓄電量検出部
１７      ：  外部電源接続部
１７１    ：  外部電源検出部
１８      ：  記録部
１９      ：  メモリ
２０      ：  制御部
２１      ：  バス
Ｒ１，Ｒ２  ：  特定位置（自宅、職場）
Ａ１，Ａ２  ：  非制限範囲
【図１】
2014236633.tif 000003
【図２】
2014236633.tif 000004
【図３】
2014236633.tif 000005
【図４】
2014236633.tif 000006